(57)【要約】電子構成要素を収容するためのシステムは、内部、前記内部にアクセスするためのドア、およびシャシを備えるエンクロージャを備える。構成要素がシャシに取り付けられ、シャシは、引込み位置と展開位置の間で移動するようにエンクロージャに枢動自在に接続される。前者では、シャシが内部の中にある。後者では、シャシが、エンクロージャの前部から出て回転または揺動し、エンクロージャの奥行き／サイズを最小にしながら、構成要素がアクセスされることを可能にする。エンクロージャは、エンクロージャのベース内の空気取入口、およびエンクロージャの後部内の空気排出ポートを備え、両方が、バッファ／ルーバによって保護されている。空気が、取入口（ファンを使用して）を通って引き込まれ、冷却のために内部を通って、排出ポートを通ってエンクロージャの後部から引き出される。この通路は、ＩＥＣ  ＩＰ４４を遵守するように、噴霧された液体の進入を最小にすることが見出された。
2009523323.tif 000002
【特許請求の範囲】
【請求項１】
電子構成要素を収容するためのエンクロージャ・システムであって、
内部と、エンクロージャの底部を画定するベースと、後部側壁とを有するエンクロージャと、
前記ベース内の少なくとも１つの空気取入口から、前記内部を通って前記後部側壁内の少なくとも１つの空気排出口へ延びる、空気冷媒通路と
を備えるシステム。
【請求項２】
前記ベースおよび後部側壁それぞれに、前記取入口および排出口を通っての汚染物質の侵入を制限するために、前記少なくとも１つの空気取入口および前記少なくとも１つの空気排出口にそれぞれ関連付けられた少なくとも１つのバッフルが取り付けられている、請求項１に記載のシステム。
【請求項３】
前記ベースが、前部と、後部と、左および右側面とを有し、前記ベースの前記左および右側面が、前記ベースの前記前部および後部よりも長さが短く、かつ前記少なくとも１つの空気取入口が、それぞれ、前記ベースの前記左および右側面内に配置された第１および第２の空気取入口を備える、請求項２に記載のシステム。
【請求項４】
前記エンクロージャの奥行きが、前記エンクロージャ幅の約２分の１以下である、請求項２に記載のシステム。
【請求項５】
前記後部側壁内の複数の空気排出口をさらに備え、前記空気排出口のそれぞれが、前記排出口を通っての汚染物質の侵入を制限するために関連付けられたルーバを有し、前記空気排出口が、前記エンクロージャ上部に近接して、前記後部側壁の幅を横切って分散されている、請求項２に記載のシステム。
【請求項６】
前記エンクロージャを壁に装着するための、前記後部側壁と形状が相補的である、壁装着ブラケットをさらに備え、
前記ブラケットが、前記エンクロージャの前記後部側壁が、前記ブラケットを支持するようにされたとき、前記エンクロージャの前記側壁の少なくとも１つと重なるように構成された少なくとも１つのフランジを有し、排出された空気の通過のために、前記少なくとも１つのフランジと、前記エンクロージャ側壁のうちの前記少なくとも１つとの間に、少なくとも１つの隙間がある、請求項２に記載のシステム。
【請求項７】
前記ブラケットが、ブラケット・フレームと、前記フレームの各側面に沿って延びる少なくとも第１および第２の側面フランジとを備え、前記エンクロージャの前記後部壁が、前記ブラケットを支持するようにされたとき、前記側面フランジが、前記エンクロージャの左および右側面と重なるように構成される、請求項６に記載のシステム。
【請求項８】
前記エンクロージャの前部側壁が、前記内部にアクセスするためのドアを備え、前記ドアが、前記エンクロージャの左および右側壁のうちの選択された１つに配置された枢動軸を有し、かつ、
システムが、前記エンクロージャ内部に枢動自在に接続され、かつ少なくとも１つのエレクトロニクスデバイスを保持するように構成される、支持シャシをさらに備え、前記支持シャシが、前記シャシが前記内部の中に完全に配置されている引込み位置と、前記シャシの少なくとも一部分が、前記シャシに取り付けられたエレクトロニクスデバイスにアクセスするために前記内部から回転して出る展開位置との間で横方向に枢動し、かつ、前記シャシが、前記ドアとともに協働して運動するように、前記左および右エンクロージャ側壁のうちの前記選択された１つに配置された枢動軸を有する、請求項２に記載のシステム。
【請求項９】
内部を画定し、かつ前記内部にアクセスするためのドアを有する、エンクロージャであって、前記ドアが、エンクロージャの左および右側壁のうちの選択された１つに配置された枢動軸を有するエンクロージャと、
前記エンクロージャと枢動自在に接続され、少なくとも１つの電子構成要素を保持するように構成された支持シャシとを備え、前記支持シャシが、前記シャシが前記エンクロージャ内部の中に完全に配置されている引込み位置と、前記シャシの少なくとも一部分が、前記シャシによって支持された電子構成要素にアクセスするために前記エンクロージャ内部から回転して出る展開位置との間で横方向に枢動し、前記シャシが、前記ドア枢動軸に対して実質的に平行な、また前記ドアとともに協働して運動するように前記左および右エンクロージャ側壁のうちの前記選択された１つに配置された枢動軸を有する、
エレクトロニクスのためのエンクロージャ・システム。
【請求項１０】
前記エンクロージャが、ベース、後部側壁、および複数の第２の側壁を備え、前記側壁が、前記ベースに取り付けられ、かつ前記エンクロージャの前記内部を画定しており、
前記ベースが少なくとも１つの空気取入口を有し、かつ
前記後部側壁が、少なくとも１つの空気排出口を有し、
前記少なくとも１つの空気取入口および前記少なくとも１つの空気排出口が、前記少なくとも１つの取入口から、前記内部を通り、前記少なくとも１つの排出口から出る空気の通過のために、前記エンクロージャ内部を用いて流体的に連通されている、
請求項９に記載のシステム。
【発明の詳細な説明】
【技術分野】
【０００１】
本発明は、キャビネットまたはエンクロージャに関し、より詳細には、電子構成要素を確実に保持するためのキャビネットまたはエンクロージャに関する。
【背景技術】
【０００２】
金属またはポリマーのキャビネットまたは他のエンクロージャは、異種の、または関連の電子構成要素を展開点で収容するために、しばしば使用される。たとえば、コンピュータ端末の構成要素（たとえば、ディスク・ドライブおよびプロセッサ・ボード）は、外側エンクロージャと、構成要素を互いに対して確実に保持するための内側支持フレームまたは構造と、ユーザがエンクロージャの内部にアクセスするための１つまたは複数のドアまたはハッチとを有するケース内に収容されることがある。このようなエンクロージャは、（特に構成要素がそれら自体の十分な保護を備えていない場合）構成要素を外部の汚染から保護するために、また構成要素を改竄または不法な取外しから守るために設けられる。エンクロージャはまた、熱管理のために（たとえば、構成要素間の適切な空気の流れのために）、またケーブルまたは構成要素間の他の電気相互接続の配置を容易にするために、規則正しく、かつ／または所定の形で構成要素を互いに離隔させるために使用される。
【０００３】
多くのタイプのエレクトロニクス用のエンクロージャは、厳しいまたは変動する環境条件に耐えることを意図されていない。たとえば、コンピュータ用のケースは、内部構成要素をある限られた程度まで保護することができるが、コンピュータが、オフィス、寝室、さらには専用のサーバ・ルームなど、環境的に制御された場所で保持されることが、一般に推奨される。しかし、ある種の電子構成要素は、環境制御があまり厳しくない場所、あるいは、おそらくは環境条件がより変動しそうな、または汚染のリスクがより大きい場所に配置しなければならない。たとえば、携帯電話ネットワーク基地局のためのエレクトロニクスは、ある種の小さな建物または小屋の中に通常収容されるが、丘の頂上などの、極端な要素により多くさらされる場所で展開されることが不可避であることがある。また、建物内で通信回線（ｔｅｌｅｃｏｍｍｕｎｉｃａｔｉｏｎ  ｆｅｅｄ）を制御可能に分配するための電子構成要素を収容する接続箱または配電箱は、地下室、ユーティリティ・ルーム、クローゼット、または同様の場所に設置しなければならない可能性があり、これらのすべては、より大きな温度変動、およびより大きな環境汚染のリスクを受ける。
【０００４】
塵、破片、液体など環境汚染物質にさらされる可能性が高いことのほかに、ある種の場所でのエンクロージャの配置には、空間の制限および／または熱管理、たとえば冷却に関して問題がある。たとえば、接続／配電箱が、狭い区画を有するユーティリティまたは他のクローゼット内で展開される場合、クローゼットの、かつ／または配電箱それ自体の空間制約を考えると、配電箱内でエレクトロニクスを適切に冷却するように配置することは困難となる可能性がある。
【発明の開示】
【発明が解決しようとする課題】
【０００５】
本発明は、電子構成要素を確実に保持するキャビネットまたはエンクロージャを提供することにある。
【課題を解決するための手段】
【０００６】
本発明のある実施形態は、電子構成要素を収容するためのエンクロージャ・システムに関する。このシステムは、内部と、ベースと、後部側壁とを有するエンクロージャを備える。空気冷媒通路が、ベース内の空気取入口（エンクロージャの底部の近く）から、内部を通って、後部側壁内の空気排出口から外へ延びている。別の実施形態では、バッフルが、汚染物質の侵入を制限するために空気取入口および排出口内に配置されている。
【０００７】
別の実施形態では、ベースが、前部と、後部と、左および右側面とを有する。空気取入口が、ベースの側面の１つに配置されている。ベースの各側面上に１つずつ、２つの空気取入口があってもよい。また、エンクロージャの奥行きは、エンクロージャが、壁に装着されたとき、壁に近接するように、エンクロージャの幅よりもかなり小さくてもよい（たとえば、エンクロージャの幅の２分の１以下）。
【０００８】
別の実施形態では、エンクロージャが、後部側壁内にいくつかの空気排出口を有し、各空気排出口が、環境汚染物質の考えられる侵入を最小にしながら、空気が逃げることを可能にするためのルーバを有する。
【０００９】
別の実施形態では、壁装着ブラケットが、エンクロージャを壁に装着するために使用される。ブラケットは、側面フランジを備えるブラケット・フレームを備えてもよい。エンクロージャがブラケットと接して、たとえば、ブラケットが接続される壁に後部側壁が面して配置されたとき、側面フランジが、エンクロージャの左および右側壁と重なる。フランジは、排出された空気が通過する隙間を提供するようにエンクロージャ側壁からわずかに離隔される。言い換えれば、空気は、後部側壁内の排出口を通って、エンクロージャ、ブラケット、および壁の間の空間を通り、エンクロージャの前部に向かう隙間を通って外へ排出される。
【００１０】
別の実施形態では、エンクロージャが、エンクロージャ内部にアクセスするためのドアを備える。また、支持シャシが、エンクロージャに枢動自在に接続される。シャシは、電子構成要素を保持または支持するために使用される。言い換えれば、様々なエレクトロニクスデバイス、モジュール、または他の構成要素をシャシに取り付けることができる。シャシは、引込み位置と展開位置の間で、横方向に枢動自在に移動可能である。引込み位置では、シャシが、エンクロージャ内部にあり、ここでは、シャシを固定し、内部を密封するためにドアが閉められてもよい。展開位置（ドアが開いている）では、シャシが、エンクロージャ内部から回転して出る。この位置では、ユーザが、シャシによって支持された電子構成要素に、より容易にアクセスすることができ、エンクロージャが、限られた空間を有する場所で配置するために、より浅い奥行きを有することが可能になる。シャシは、ドアと協働して移動するようにドアと同じ側に枢動軸を有する。
【００１１】
本発明は、添付の図面を参照にして、以下の限定されない実施形態についての以下の説明を読めばよりよく理解されよう。
【発明を実施するための最良の形態】
【００１２】
図１〜９Ｂおよび１０Ｂを参照すると、本発明の実施形態は、電子構成要素を収容するための関着式エンクロージャ・システム２０に関する。システム２０は、それらのすべてがエンクロージャの内部３４を画定するベース２２と、左および右側壁２４、２６と、前部および後部側壁２８、３０と、上部側壁３２とを有する、外フレームすなわちエンクロージャ２１を備える。１つまたは複数の空気取入口３６、たとえば、空気が流れることができる通路が、ベース２２（エンクロージャ２１の外部底部の）からエンクロージャ内部３４内へ延びている。後部側壁３０は、それを通って延びる１つまたは複数の空気排出ポート３８を有する。排出ポート３８は、後部側壁３０に取り付けられたルーバ４０などのバッフルをそれぞれ備える。空気取入口３６はまた、バッフル４２を備える。バッフル４０、４２は、塵、破片、噴霧された液体など環境汚染物質の進入を制限しながら空気が通過することを可能にする。動作中、熱管理（たとえば、冷却）のために、空気が、標準的なファン・ユニット４４を用いて空気取入口３６を通ってエンクロージャ内へ引き込まれる。空気は、内部３４を通って循環し、排出ポート３８を通ってエンクロージャの後部へ排出される。この空気流パターンまたは通路は、液体汚染物質がエンクロージャに入る可能性を実質上減少させる。
【００１３】
エンクロージャ２１はまた、電子構成要素４８、たとえば、コンピュータまたは電気通信カードまたはボード、エレクトロニクス・モジュールなどのデバイスを保持するための内部支持フレームすなわちシャシ４６を備える。エンクロージャ・システム２０は、事実上関着されており、シャシ４６が、エンクロージャ２１にヒンジなどの枢動点５０を用いて横方向に枢動自在に取り付けられていることを意味している。したがって、シャシ４６が、図５に示す引込み位置から、図６および１０Ｂの展開位置へ、エンクロージャ２１の前部から出て横方向に回転されることが可能である。展開位置では、ユーザがシャシによって支持された構成要素４８にアクセスすることが容易である。また、電子構成要素４８が、エンクロージャ２１の寸法に関わらず設定された、事前に確立された寸法を有する状況では、シャシ４６は、構成要素４８を垂直方向ではなく横方向に（たとえば、後部側壁に対して平行に）配向することが可能である（図１０Ａおよび１０Ｂと比較されたい）。このことは、エンクロージャ２１が、従来のエンクロージャよりも低いプロファイル、たとえば、浅い奥行きを有することを可能にする。
【００１４】
図１〜４に戻ると、エンクロージャ２１は、全体形状がほぼ矩形である。ある種の用途で使用するために、エンクロージャ２１は、奥行きがあるというよりはかなり幅の広いものであってよく、したがって、エンクロージャの奥行きは、エンクロージャの幅の約２分の１以下となる。（言い換えれば、前部または後部側壁２８、３０の幅が、左または右側壁２４、２６の幅の少なくとも約２倍であってよい。）このことは、クローゼットおよびユーティリティ・キャビネット内など、さほど奥行きのない場所、および／または空間が貴重である場所でのエンクロージャ２１の配置を容易にする。図面に示した相対的な寸法の下で、エンクロージャが、標準的な電気通信接続／配電プラグイン回路パックを保持する際に使用するように構成されたとき、約２５０ｍｍ（たとえば、２５０±１ｍｍ）未満、および約２０３ｍｍほどの浅い奥行きＤ１（図１０Ｂ参照）を有することができることが見出された。このような回路パックは、通常少なくとも２６０ｍｍの奥行きを有するものである。たとえば、回路パックのカード部分は、カードの前部に少なくとも４０ｍｍの接続のための追加のクリアランスを有する、通常少なくとも２２０ｍｍの奥行きである。これは、このようなエレクトロニクスデバイスを保持するための標準的なエンクロージャに関する少なくとも３００ｍｍの典型的な奥行きＤ２（図１０Ａ参照）、たとえば、回路パックのための少なくとも２６０に、シャシおよびエンクロージャのカードケージ部分のための少なくとも追加の４０ｍｍおよび一般にそれ以上を加えたものと比較される。
【００１５】
エンクロージャ２１の前部側壁２８は、内部３４にアクセスするためのドアとして使用するように構成される。したがって、前部側壁２８が、ヒンジ５２を用いて右側壁２６に取り付けられる。前部側壁２８は通常、ドアが閉じたとき、ドアと他の側壁の間の継ぎ目を遮蔽または密封するために、周縁の、後部に面しているフランジ５４を有する。キー・ロック５６が、内部３４への許可されないアクセスを防止するようにドアをロックするために前部側壁２８に取り付けられてもよい。
【００１６】
シャシ４６は、電子構成要素／デバイス４８を取り付け、かつ保持するための支持フレームを提供する。シャシ４６は、熱管理のために、およびケーブル、ジャンパ、パッチなどの秩序のある規則的な配置を容易にするために、固定され、離隔された形で構成要素４８を保持する。シャシはまた、中間ケーブル終端、コネクタ、ポートなどための支持部を提供する。たとえば、このようなポートが、エンクロージャ内の電子構成要素を外部フィードまたはケーブルと取外し可能に相互接続し、構成要素にアクセスする必要なしに外部フィードが接続解除されることを可能にするために、使用されてもよい。シャシは、異なるタイプの電子構成要素を保持するために、いくつかの異なる形で構成されてもよい。
【００１７】
シャシ４６は、それによって支持されている電子構成要素４８と組み合わせて、図５に示すように、エンクロージャ内部３４の内部に嵌合するような寸法にされる。通常、シャシは、エンクロージャ２１の外部寸法を最小にするために、内部空間３４のほぼすべてを占有することになる。（言い換えれば、エンクロージャ２１が、シャシよりもかなり大きい必要はないということが通常の場合である）。上記で示したように、シャシ４６は、ヒンジなどの枢動点５０を用いてエンクロージャ２１と横方向に枢動自在に接続される。したがって、前部側壁２８を開位置にすると、シャシ４６が、エンクロージャの前部から外へ、枢動点５０によって定義された長手方向枢動軸に沿って揺動または回転され、かつシャシの横方向／側縁部に沿って配置される。すなわち、引き込まれたとき、シャシが図５に示すように内部３４内にある。内部から外へ回転されたとき、シャシが、図６および１０Ｂに示すように展開される。ある標準サイズのエレクトロニクスデバイスの取外しおよび挿入は、図１０Ａに示す従来技術のエンクロージャによって示されるように、エンクロージャが対応する奥行きを有することを通常必要とするが、シャシ４６を枢動させることは、このようなデバイスが、同様に確実に、しかしずっと浅い空間内で封入されることを可能にする。また、シャシ４６は外向きに枢動することができるため、ユーザが全体的に電子構成要素にアクセスすることは、より容易である。
【００１８】
図面に示すように、シャシ４６の枢動軸は、ドアと協働して移動するようにエンクロージャ２１の前部側壁（ドア）２８と同じ側にある。言い換えれば、ドアおよびシャシは、同じ方向に開くように配置されている。
【００１９】
引込み位置と展開位置の間の移動中、シャシ４６を支持するために、１つまたは複数の標準的なガイド組立体５８が、エンクロージャ２１およびシャシ４６に取り付けられてもよい。図６に示すように、このようなガイド組立体は、エンクロージャ２１に枢動自在に接続されたスライド・ブラケット、およびブラケットの軌道に沿って滑動するシャシ４６に取り付けられたボルト様のピンを備えてもよい。
【００２０】
エンクロージャ２１の展開および配置のために、エンクロージャ２１は通常、ベース２２が床表面６０に接して、かつ後部側壁３０が壁６２に向いて通常配置される（図７および８参照）。支持のために、および／またはエンクロージャの取外しを防止するために、エンクロージャ２１が壁６２に装着されてもよい。壁装着のために、および（特に噴霧された水から）汚染の可能性をさらに制限するために、システム２０は、壁装着ブラケット６４を備える。壁装着ブラケット６４は、図３で最もよくわかるように、上部クロス部材６８、底部クロス部材７０、ならびに前方に面した左および右フランジ７２、７４を有する矩形のフレームである。（上部および底部クロス部材６８、７０もまた、前方に面したフランジであってもよい）。ブラケット６４はまた、ブラケットを壁６２に接続するための様々な装着開口などを備える。壁装着ブラケット６４は、後部側壁３０とほぼ相補的な形状であり、エンクロージャの後部がブラケット６４およびフランジ６８、７０、７２、７４の範囲内に配置されることを可能にする。エンクロージャ２１は、ファスナなどを使用して、内部３４を通って標準的な形でブラケット６４に取り付けられる。排出された冷媒空気がエンクロージャの後部から逃げることを可能にするために、１つまたは複数の隙間７６が、排出された空気を配向するように望まれる方向に応じて、フランジまたはクロス部材６８、７０、７２、７４とエンクロージャ２１の間に設けられる。たとえば、図１、４、および８に示すように、ブラケット６４およびエンクロージャ２１は、エンクロージャ２１がブラケット６４に接して配置されたとき、左および右フランジ７２、７４が、左および右側壁２４、２６からわずかに離隔されるように構成されてもよい。図１、４、および８に示されている構成では、上部および底部フランジ６８、７０が、上部側壁３２およびベース３０に、それらの間を密封する手段を提供するために、それぞれ当接する。（図１および３に示されているように、ベース３０は、側壁よりも小さい占有面積を有してもよい。このような場合には、底部フランジ７０が後部側壁３０の底部リップと当接する。）
【００２１】
エレクトロニクスデバイス４８を冷却するために、エンクロージャが、それを通って空気が制御された形で配向される空気通路７８を備える。最初に、空気（冷媒として作用する）が、ベース２２内の空気取入口３６を通って引き込まれる。通常、空気取入口３６は、底部に向かってベースの一方の側面に配置されることになる。オプションで、ベースの左側面および右側面の両方が、このような空気取入口を有し、２つの取入口が、共通のダクトまたは他の通路を形成する。空気取入口の開放は、バッフル４２によって制限される、または遮蔽される。バッフル４２は、図７および９Ａに示すように、エンクロージャ側壁の外部に特に取り付けられた下向きのフードまたはルーバであってよい。（バッフル４２は、図１〜６には示されていない）。別法として、図９Ｂに示すように、バッフルは、空気の流れを可能にするが、液体および固体の汚染物質の通過を拘束する、曲がった経路を一緒に画定する、いくつかの対向するフランジまたは壁７９を備える内部バッフルであってよい。他のバッフル構成が可能である。空気が、電力供給されるファン・ユニット４４および標準的な空気フィルタ（図示せず）を用いて、空気取入口３６を通って引き込まれる。ファン・ユニット４４がエンクロージャ２１内に構成されてもよい、または、シャシ４６に取り付けられてもよい。後者について、シャシ４６、エンクロージャ２１、およびファン４４が、シャシが引込み位置にあるとき、ファン４４が空気取入口３６を通って空気を引き込むように、相補的に構成される、および／または配置される。言い換えれば、シャシが引き込まれるとき、空気取入口およびファン・ダクト８０が、ファンが空気取入口を通って、ファン・ユニットの後部から出てエンクロージャ３４の内部へ空気を効果的に引き込むような程度まで密封された連続的な通路を一緒に形成する。
【００２２】
いったんエンクロージャ２１内へ引き込まれた後、空気が、内部３４を通って構成要素４８の周りに（冷却のために）、および空気排出ポート３８を通って出て後部側壁３０内へ通過する。空気がポート３８を通って排出されることを確実にするため（および汚染物質の侵入を最小にするため）に、エンクロージャ２１がほぼ密封される。このことによって、前部側壁２８が閉鎖されているとき、製造公差の結果生じる構成要素の間のわずかな食違いもしくは隙間に関するもの、および／または、移動部品の間の隙間を可能にすることを除いて、ならびに空気取入口３６および排出ポート３８を除いては、エンクロージャが空密であることを意味する。したがって、空気取入口３６および排出ポート３８がそれぞれ、エンクロージャに出入りする空気のための第１の入口および出口点を提供する。ここに述べたように、後部側壁３０に取り付けられた下向きのルーバ４０は、汚染物質の侵入を拘束するために、排出ポート３８を覆って配置される。
【００２３】
空気がポート３８を通ってエンクロージャ２１の後部に向かって排出されるため、エンクロージャ２１がブラケット６４に接した位置にされるとき、クリアランス８２（図８参照）が、後部側壁３０、ブラケット６４および壁６２の間に設けられる。したがって、ポート３８から出た後、排出された空気が、壁６２に沿ったクリアランス８２を通って、ブラケット６４の側面フランジ７２、７４とエンクロージャ２１の側壁２４、２６の間の隙間７６を通って出るように通過する。このことは、排出された空気を、エンクロージャの前部に向かって配向する。
【００２４】
理解されるように、本発明の空気通路７８は、エンクロージャの底部から空気を引き込むこと、およびエンクロージャの後部の壁に向かって空気を排出することを含む。この通路／ルートは、ある環境および／または製品試験基準によるエンクロージャの法令遵守を容易にすることが見出された。たとえば、本開示に従って製造されたエンクロージャは、ＩＥＣ（国際電子工学学会）ＩＰ４４基準に適合することができた。この基準は、空気を取込みおよび排出するときに通過することが一般に困難である、水噴霧試験を含む。ＩＰ４４基準の下では、このことは、エンクロージャが、直径１ｍｍ以上の固体の外部物体の侵入に対して保護すること、およびエンクロージャが、少なくとも基準で特定された程度までの水しぶきまたは噴霧された水に対して保護することを意味する。装着ブラケット６４（たとえば、ブラケットフランジ６８、７０、７２、７４）は、エンクロージャが壁装着されているとき、エンクロージャの後部を遮蔽することを助ける。バッフル４２およびルーバ４０もまた、噴霧された水または他の液体のエンクロージャ内部３４への侵入を防止することを助ける。
【００２５】
エンクロージャ２１およびシャシ４６は、金属、ポリマー、複合材料などの１つまたは複数の耐久性のある材料で作製されてもよい。
【００２６】
図１１Ａ〜１１Ｃは、エンクロージャ・システム２０のためのベース１００の、代替となる実施形態を示している。ベース１００は、上記で説明されたベース２２とほぼ同様であるが、ベース１００の長手方向の長さに沿って延びる共通の取入ダクト１０４の両端に２つの空気取入口１０２ａ、１０２ｂを備える。ダクト１０４は、それぞれ相互接続された前部、後部、上部および底部部材１０６ａ〜１０６ｄによって画定される。内向きに角度を付けられた内側バッフル１０８ａ、１０８ｂが、ベースの上部からダクト内へ下向きに突き出している。バッフル１０８ａ、１０８ｂもまた、図１１Ａに示すように、ダクトの幅を横切って横方向に延びている。ベース１００はまた、たとえば、後部側壁３０と同じ方向を向いたベースの後部部材１０６ｂ内に追加の取入スロット１１０をオプションで備える。後部取入スロット１１０を遮蔽するために内向きに配向されたバッフル１１２が、ベース１００の後部部分１０６ｂに取り付けられている、またはそれと一体化されている。図１１Ａ〜１１Ｃにまた、ベース１００内の上側取入れ開口１１４が示されており、それを覆ってファン／フィルタユニットが、取入口１０２ａ、１０２ｂを通って空気を引き込むために配置されてもよい。バッフル１０８ａ、１０８ｂ、１１２が、ファン／内部の中への空気のための共通の取入点としてのその機能において、開口１１４を遮蔽するために、空気開口１１４の周縁部の周りにほぼ分散されてもよいことに留意されたい。
【００２７】
上記で説明された関着式エレクトロニクス・エンクロージャにおいて、本発明に含まれる本発明の精神および範囲から逸脱することなく、いくつかの変更を加えることができるため、上記の説明の、または添付の図面に示された主題のすべては、本明細書での本発明の概念を示す単なる一例として解釈するべきであり、本発明を限定するものとして解釈するべきではないものとする。
【図面の簡単な説明】
【００２８】
【図１】本発明のある実施形態による、関着式エレクトロニクス・エンクロージャ・システムの透視図である。
【図２】エンクロージャ・システムの前側面立面図である。
【図３】エンクロージャ・システムの後側面立面図である。
【図４】エンクロージャ・システムの上部平面図である。
【図５】そのドア部分が開位置にある、エンクロージャ・システムの側面立面図である。
【図６】展開／回転位置での内部シャシを示す、エンクロージャ・システムの透視図である。
【図７】エンクロージャを通る冷媒空気の流れを示す、エンクロージャ・システムの部分的に切断された、前部側立面概略図である。
【図８】エンクロージャを通る空気の流れを示す、エンクロージャ・システムの部分的に切断された上部平面図である。
【図９Ａ】空気取入口バッフルの詳細概略図である。
【図９Ｂ】空気取入口バッフルの詳細概略図である。
【図１０Ａ】従来技術によるエンクロージャの動作を示す上部平面概略図である。
【図１０Ｂ】本発明のエンクロージャの実施形態の動作を示す上部平面概略図である。
【図１１Ａ】エンクロージャのベース部分の代替となる実施形態の透視図である。
【図１１Ｂ】部分的に切断を示された、図１１Ａでのベースの側部立面図である。
【図１１Ｃ】図１１Ｂに示したベースの詳細図である。
【図１】
2009523323.tif 000003
【図２】
2009523323.tif 000004
【図３】
2009523323.tif 000005
【図４】
2009523323.tif 000006
【図５】
2009523323.tif 000007
【図６】
2009523323.tif 000008
【図７】
2009523323.tif 000009
【図８】
2009523323.tif 000010
【図９Ａ】
2009523323.tif 000011
【図９Ｂ】
2009523323.tif 000012
【図１０Ａ】
2009523323.tif 000013
【図１０Ｂ】
2009523323.tif 000014
【図１１Ａ】
2009523323.tif 000015
【図１１Ｂ】
2009523323.tif 000016
【図１１Ｃ】
2009523323.tif 000017
【国際調査報告】
2009523323.tif 000018
2009523323.tif 000019
2009523323.tif 000020
2009523323.tif 000021